(57)【要約】【課題】ジルコニアを材料とした歯牙補綴物を適用する際に用いる歯科用シェードガイドを提供する。【解決手段】安定化又は部分安定化ジルコニアから形成され、臼歯部の咬合面を模した部位を含む歯牙見本部と、前記歯牙見本部が取り付けられた棒状のハンドルと、を備えるものとする。【選択図】図１
2015020001.tif 000002
【特許請求の範囲】
【請求項１】
安定化又は部分安定化ジルコニアから形成され、臼歯の咬合面を模した部位を含む歯牙見本部と、
前記歯牙見本部が取り付けられた棒状のハンドルと、を備える歯科用シェードガイド。
【請求項２】
前記歯牙見本部は、咬合面全体を模した部位を有し、咬合面から離隔する方向には１ｍｍ以上５ｍｍ以下の厚さを有している請求項１に記載の歯科用シェードガイド。
【請求項３】
前記歯牙見本部の色調が表記された表示部を有し、該表示部には前記歯牙見本部の着色に用いた着色液の種類又はそれを示す記号が表記されている請求項１又は２に記載の歯科用シェードガイド。
【請求項４】
前記歯牙見本部には、Ｐｒ、Ｅｒ、Ｆｅ、Ｃｏ、Ｎｉ、又はＣｕが含有されている請求項１乃至３のいずれか１項に記載の歯科用シェードガイド。
【発明の詳細な説明】
【技術分野】
【０００１】
本発明は、適用する歯牙補綴物の色調を判別する際に用いる色見本である歯科用シェードガイドに関する。
【背景技術】
【０００２】
インレーやクラウン等の歯牙補綴物を作製する際に使用される歯科用レジンや歯科用ポーセレン等は審美性に優れた歯牙補綴物用の歯牙材料（以下単に「歯牙材料」と記載することがある。）である。一方、歯牙の色は人によって様々であり、補綴すべき歯牙やその隣在歯と、作製される歯牙補綴物との間で大きな色調の相違があると、歯牙補綴物が口腔内で不自然に目立ってしまう。そこで例えば作製すべき歯牙補綴物がインレーの場合には窩洞が存在する歯牙と同様の色調であることが必要であり、作製すべき歯牙補綴物がクラウンやブリッジである場合には隣在歯と同様の色調であることが必要である。以下、色調を揃えるべき比較対象となる歯牙を「隣在歯等」と記載することがある。
このような不自然な色調となることを防ぐため、歯牙材料の種類によっても異なるが、通常は同じ種類の歯牙補綴物について数色から数十色の色調の異なったものが予め用意されている。
【０００３】
具体的には歯科医は、歯牙補綴物を作製する専門家である歯科技工士に歯牙補綴物の作製を依頼する際に歯科用シェードガイドを用いて作製する歯牙補綴物の色調を決定して指示する。歯科用シェードガイドは、ある色調を有する歯牙補綴物の色見本であり、色調が異なる複数の歯科用シェードガイドが複数準備されている。これにより複数の歯牙補綴物の色調の違いを簡単に目視で確認できる。歯科医は、これらの数多くの色調の異なった歯科用シェードガイドの中から、患者の隣在歯等の色調に対して最も調和の取れた色調のものを選択し、例えば用いる歯科用シェードガイドを番号等で歯科技工士に伝える。
【０００４】
このような歯科用シェードガイドは、例えば特許文献１に記載のように、帯状の板であるハンドル部の一端の表面に１つの歯牙補綴物の見本が取り付けられた形態である。従来の歯科用シェードガイドは歯牙補綴物を構成する材料と同じ材料であるポーセレン材料又はレジン材料で作製されていた。そしてその構造は、例えば特許文献２、３に開示されているように、天然の歯牙と同様にデンチン層やエナメル質層等を有するものが一般的であった。
【０００５】
歯科用シェードガイドの色は、天然歯の色を明度、彩度（飽和度）、色相の３座標値により分類し、感覚的に等間隔（等歩度）にＡ１、Ａ２、Ａ３…というように呼び名が付されている。そして、呼び名の異なる複数の歯科用シェードガイドが配列されて歯科用色見本（シェードガイドシステム）として構成されている。
【０００６】
一方、歯牙補綴物に利用できる優れた特性を有する歯牙材料としてジルコニアが注目されている。しかしジルコニアは審美性に問題があり、これまでは支台歯等にのみ用いられていた。これに対して近年では、このジルコニアの審美性が向上し、例えば特許文献４、５に記載されているように歯牙に似た色調を得ることが可能となった。そのためジルコニア製の歯牙補綴物が使用され始めている。
【先行技術文献】
【特許文献】
【０００７】
【特許文献１】実用新案登録第２５６５７０６号公報
【特許文献２】特開平５−３３２８３９号公報
【特許文献３】特許第５１０８８８５号公報
【特許文献４】特表２００２−５３６２８０号公報
【特許文献５】特表２０１０−５３４２４５号公報
【発明の概要】
【発明が解決しようとする課題】
【０００８】
しかしながらジルコニアは、ポーセレンやレジンとは異なる着色の過程を有することに加え、当該ポーセレンやレジンとは異なる透明感を有している。従って、上記したような従来の歯科用シェードガイドを用いても、ジルコニア製の歯牙補綴物の色調を正確に確認又は合わせることが困難であった。即ち、従来の歯科用シェードガイドの色（例えばＡ２）を選択してジルコニアを着色しても、必ずしも意図した色調とはならずに、人の目には異なる色として見えることが多かった。特に、臼歯の咬合面は、口腔内の奥に存在するとともに、その凹凸による立体具合から、独特の透明感を持つジルコニア特有の色感覚が求められる。
【０００９】
そこで本発明は、ジルコニアを材料とした歯牙補綴物を適用する際に用いる歯科用シェードガイドを提供することを課題とする。
【課題を解決するための手段】
【００１０】
以下、本発明について説明する。ここでは分かり易さのため、図面に付した参照符号を括弧書きで併せて記載するが、本発明はこれに限定されるものではない。
【００１１】
請求項１に記載の発明は、安定化又は部分安定化ジルコニアから形成され、臼歯の咬合面を模した部位（１１ａ）を含む歯牙見本部（１１）と、歯牙見本部が取り付けられた棒状のハンドル（１２）と、を備える歯科用シェードガイド（１０）である。
【００１２】
請求項２に記載の発明は、請求項１に記載の歯科用シェードガイド（１０）において、歯牙見本部（１１）は、咬合面全体を模した部位（１１ａ）を有し、咬合面から離隔する方向には１ｍｍ以上５ｍｍ以下の厚さを有している。
【００１３】
請求項３に記載の発明は、請求項１又は２に記載の歯科用シェードガイド（１０）において、歯牙見本部（１１）の色調が表記された表示部を有し、該表示部には歯牙見本部の着色に用いた着色液の種類又はそれを示す記号が表記されている。
【００１４】
請求項４に記載の発明は、請求項１乃至３のいずれか１項に記載の歯科用シェードガイド（１０）において、歯牙見本部（１１）には、Ｐｒ、Ｅｒ、Ｆｅ、Ｃｏ、Ｎｉ、又はＣｕが含有されている。
【発明の効果】
【００１５】
本発明によれば、患者にジルコニア製の歯牙補綴物を適用しようとする場合において、その色調を意図したものにすることができる。
【図面の簡単な説明】
【００１６】
【図１】歯科用シェードガイド１０の正面図である。
【図２】歯科用シェードガイド１０の斜視図である。
【図３】シェードガイドシステム１の正面図である。
【発明を実施するための形態】
【００１７】
本発明の上記した作用及び利得は、次に説明する発明の形態から明らかにされる。以下、本発明を図面に示す形態に基づき説明する。ただし本発明はこれら形態に限定されるものではない。
【００１８】
図１は、１つの形態に係る歯科用シェードガイド１０の正面図、図２は歯科用シェードガイド１０の斜視図である。歯科用シェードガイド１０は、歯牙見本部１１及びハンドル１２を有している。
【００１９】
歯牙見本部１１は臼歯の歯牙補綴物の色見本として機能する部位であり、本形態では臼歯の咬合面を模した部位１１ａを含み、ここには裂溝も表された歯牙の形態を模擬している。臼歯の咬合面を模した部位１１ａはその凹凸による立体形状を具備し、この立体形状が独特の透明感を有するジルコニア特有の色感覚に影響を与える。従って当該影響を確認するため、歯牙見本部１１にこの凹凸を模擬した形態が再現がされていることが必要である。
また臼歯の咬合面を模した部位１１ａは、図１乃至図３のように咬合面の全体を含むように模擬されることが好ましく、図２にＡで示したように部位１１ａから離れる方向には１ｍｍ以上５ｍｍ以下の厚さを有して歯牙のうち咬合面のみを模したものであることが好ましい。すなわち、歯牙見本部１１が臼歯の咬合面を模した部位１１ａを有してその厚さ方向（図１の紙面奥／手前方向、図２の紙面上下方向）が薄く構成されている形状である。このとき、更に咬合面を模した部位１１ａとは反対側となる面が平面であると部位１１ａの凹凸による立体具合が安定しやすく、また、後述するハンドル１２が取り付けやすくなるので好ましい。
歯牙補綴物の臼歯の咬合面は口腔内の奥に配置されるとともに、その凹凸による立体具合の観点から、独特の透明感を有するジルコニア特有の色感覚が求められるので、歯科用シェードガイド１０も上記形状とすることにより適切なシェードガイドとすることができる。また咬合面を模した部位１１ａを含み、他の部分が薄く構成されていれば、歯科用シェードガイド１０の収納が容易であり保管スペースを少なく抑えることができる。
【００２０】
歯牙見本部１１は安定化又は部分安定化ジルコニアにより形成されている。安定化又は部分安定化ジルコニアとしては従来から歯科で用いられてきたジルコニアを用いることができる。これには例えば、安定化剤として酸化イットリウムや酸化セリウム等の希土類酸化物を固溶させ、結晶構造中に酸素空孔（Ｖａｃａｎｃｙ）を形成させることで昇降温による破壊を抑制した部分安定化ジルコニア（ｐａｒｔｉａｌｌｙ ｓｔａｂｉｌｉｚｅｄ ｚｉｒｃｏｎｉａ）を挙げることができる。安定化剤として酸化イットリウムを固溶させたイットリア系部分安定化ジルコニアは、色調が白色で歯牙補綴物に適している。同様に、安定化剤として酸化セリウムを固溶させたセリア系部分安定化ジルコニアは、低温で劣化し難く高い強度と靭性を有している。
【００２１】
本形態ではジルコニアを次のように着色して歯牙見本部１１を得ることができる。
初めに、粉体である原料に圧力をかけて圧粉してから半焼結する。半焼結では、例えば９００℃以上１４５０℃未満の温度で処理して、半焼結の酸化ジルコニウムを形成する。
次に、得られた半焼結の酸化ジルコニウムを歯牙見本部の形状に切削したあと、金属イオン溶液又は金属錯体溶液に浸漬してさらに焼結する。
【００２２】
ここで、着色は、半焼結の酸化ジルコニウムを金属イオン溶液又は金属錯体溶液に浸漬することにより行われるが、より具体的には例えばＰｒ（プラセオジウム）、Ｅｒ（エルビウム）、Ｆｅ（鉄）、Ｃｏ（コバルト）、Ｎｉ（ニッケル）及びＣｕ（銅）から１つ又は複数を含有する金属錯体溶液に浸漬することが挙げられる。このときに溶液は水溶液であり、アルコールを含んでいても良い。溶液の濃度は０．００１質量％以上１２質量％以下であることが好ましい。
【００２３】
歯牙見本部の色調は、浸漬に使用する溶液の組成及び濃度で調整される。例えば、鉄イオン（Ｆｅ）やプラセオジウムイオン（Ｐｒ）は黄色、エルビウム（Ｅｒ）は赤色の色を表現することができる。従って、例えば従来の歯科用シェードガイドにおける「Ａ１」の色調を完成後のジルコニア製の歯牙補綴物で表現したい場合は、塩化鉄を１質量％、塩化エルビウムを４質量％含むポリエチレングリコール溶液に２４℃にて２分間浸漬させる。同様に例えば、従来の歯科用シェードガイドの「Ａ３」の色調を完成後のジルコニア製の歯牙補綴物で表現したい場合は、塩化鉄を２質量％、塩化エルビウムを６質量％含むポリエチレングリコール溶液に２４℃にて２分間浸漬させる。このように、それぞれの色成分を組み合わせて着色を行う。
【００２４】
ジルコニア製の歯牙補綴物は、従来のポーセレンやレジンとは異なる透明感を有しているため、上記したように、従来の歯科用シェードガイドの色（Ａ１、Ａ３等）と対応しない場合が多く、ジルコニア製の歯牙補綴物の色調を正確に確認又は合わせることが困難である。
【００２５】
また歯科技工所において、無着色のジルコニアブロックに着色を行う歯牙補綴物の作製も広く行われている。この場合には着色に用いる溶液の名称（例えば、Ｆ１Ｅ３等）を歯科用シェードガイドに記載しておくと、歯科技工所等の着色を行う現場において色が合わせやすいので好ましい。そのため歯科用シェードガイド１０には、歯牙見本部１１の色調が表記された表示部を有し、歯牙見本部１１の着色に用いた着色液の種類又はそれを示す記号で表記されていることが好ましい。当該表示部が配置される部位は特に限定されることはないが、後述するハンドル１２が好ましいが、歯牙見本部１１であってもよい。
【００２６】
また、次のように歯牙見本部１１を作製することもできる。
ジルコニア系の複合セラミックとして、８モル％以上１２モル％以下のセリアを含有し、正方晶ジルコニアで構成されるジルコニア粒子と、アルミナ粒子とを含むものを原料とする。そして、これら原料配合物をＣＩＰ等により圧粉してから半焼結する。半焼結をする際の処理温度は９００℃以上１４５０℃未満であることが好ましい。半焼結をする工程における温度を９００℃以上１４５０℃未満の範囲とすることにより、作製された歯牙補綴物の強度の低下を防止するとともに、切削加工に要する時間を短縮することが可能である。
次にこのように半焼結させたジルコニア系複合セラミックスを歯牙見本部の形状に切削加工し、ネオジムのイオン溶液又は錯体溶液に１分以上浸漬し乾燥させた後に本焼成する。歯科見本部１１の着色は上記したように浸漬に使用する溶液の組成及び濃度で調整される。
【００２７】
以上の方法に以外にも、所望の色調に応じて酸化クロム、酸化ニッケル、酸化コバルト、酸化バナジウム等の金属酸化物の着色剤を添加し、混合した後焼結する方法もある。ただしこの方法では、着色剤として用いられている金属酸化物の熱膨張係数や弾性定数がジルコニアのそれと異なっているために強度低下を招き、分散が不均一となって色むらの原因ともなり易い。
【００２８】
ハンドル１２は、歯科用シェードガイド１０を使用する際に手で持つためのハンドル部であり棒状である。本形態では一方向に長い透明な板状である。ハンドル１２の形態は特に限定されることなく、公知の歯科用シェードガイドと同様の形態を適用することができる。例えば後述するように、色調が異なる複数の歯科用シェードガイド１０を備えたシェードガイドシステム１（図３参照）を構成する際に、歯科用シェードガイド１０をホルダー２（図３参照）に保持するための構造（例えばホルダーを挟んで保持するクリップ機能）を有するハンドルとしてもよい。
【００２９】
上記した歯牙見本部１１がハンドル１２の長手方向一端に取り付けられることにより歯科用シェードガイド１０とされている。このとき歯牙見本部１１とハンドル１２とは軸１０ａを中心に回動可能に連結されていることが好ましい。これにより歯科用シェードガイド１０を用いるとき、歯牙見本部１１の向きを変更することができる。
【００３０】
以上のような歯科用シェードガイド１０によれば、ジルコニアを用いた歯牙補綴部を適用する際にその色調を適切に選択することができる。そして選択した歯科用シェードガイドを歯牙技工士に伝えれば、これと同じように着色して同じ色調を有する歯牙補綴物を得ることができ、意図した色調の歯牙補綴物を適用することが可能である。
【００３１】
図３には、色調が異なる複数の歯科用シェードガイド１０を含むシェードガイドシステム１の正面図を示した。シェードガイドシステム１０は、４つの歯科用シェードガイド１０を備えており、それぞれ色調が異なる歯牙見本部１１を備えている。そしてそれぞれの歯科用シェードガイド１０のハンドル１２がホルダー２に保持されている。ただし、ハンドル１２とホルダー２とは着脱が可能であり、これにより必要に応じて歯科用シェードガイド１０をホルダー２から取り外すことができる。取り外した歯科用シェードガイド１０は、例えば歯科医が患者の口腔内に挿入し、隣在歯等と色調を対比する。
【符号の説明】
【００３２】
１  シェードガイドシステム
２  ホルダー
１０  歯科用シェードガイド
１１  歯牙見本部
１２  ハンドル
【図１】
2015020001.tif 000003
【図２】
2015020001.tif 000004
【図３】
2015020001.tif 000005